(57)【特許請求の範囲】
【請求項１】
靴紐の一筋と他筋を靴の足の甲部の中間で固定するセンターストッパーと、靴の一筋と他筋を靴の足首部の中間で結束するバックルとを含む靴紐結束装置であって、
前記バックルは雄バックルと雌バックルとを含み、
前記雄バックルは、
第１連結具が一端に形成された雄バックル本体と、
前記雄バックル本体の他端の一側に形成され、外側面に第１案内面が形成された結合案内片と、
前記雄バックル本体の他端の他側に前記結合案内片とは一定距離を置いて形成され、外部から加わる圧力によって前記結合案内片側に遊動可能になるように弾性を有し、外側面に係止突起が形成され、前記係止突起の外側面に第２案内面が形成された弾性結合片と
を含み、
前記雌バックルは、
第２連結具が一端に形成された雌バックル本体と、
前記雌バックル本体の他端に形成され、前記結合案内片及び前記弾性結合片が内側に挿入される収容空間が形成された収容体と、
前記収容体の一側に切欠形成されるもので、前記結合案内片及び前記弾性結合片が前記収容空間に挿入されるとき、前記弾性結合片の係止突起が露出した形態で係止される係止孔とを含み、
前記靴の足首部の両側で前記靴紐の一筋と他筋の端部を靴の足首部の両側でそれぞれ固定する一対のサイドストッパーをさらに含み、
前記サイドストッパーは、
前記靴に固定され、結合空間が形成された固定体と、
前記固定体の結合空間内側に挿入されるように前記固定体の一側に回動可能に取り付けられ、前記固定体との間に通過する前記靴紐の一筋又は他筋の端部を圧着して固定する圧着レバーとを含み、
前記固定体の外側面には、
前記靴紐の一筋又は他筋の端部が係止される係止突起が形成される、
ことを特徴とする、靴紐結束装置。
【請求項２】
前記第１案内面は、
前記弾性結合片側に傾くように形成されることを特徴とする、請求項１に記載の靴紐結束装置。
【請求項３】
前記第２案内面は、
前記結合案内片側に傾くように形成されることを特徴とする、請求項１に記載の靴紐結束装置。
【請求項４】
前記結合案内片の上面と下面には、
第１案内溝を挟んで一対の第１案内突起がそれぞれ形成され、
前記収容体の内側の上面と下面には、
前記第１案内突起と対応する一対の第２案内溝が前記第１案内溝と対応する第２案内突起を挟んでそれぞれ形成されることを特徴とする、請求項１に記載の靴紐結束装置。
【請求項５】
前記第１連結具は、
前記雄バックル本体の一端の一側と他側にそれぞれ同一線上に形成された一対の第１連結孔を含んでなることを特徴とする、請求項１に記載の靴紐結束装置。
【請求項６】
前記第２連結具は、
前記雌バックル本体の一端の一側と他側にそれぞれ同一線上に形成された一対の第２連結孔を含んでなることを特徴とする、請求項１に記載の靴紐結束装置。
【請求項７】
前記圧着レバーの内側端の上側と下側には、
前記靴紐の一筋又は他筋の端部が通過するように半円形の通過孔が形成されることを特徴とする、請求項１に記載の靴紐結束装置。
【請求項８】
前記固定体と前記圧着レバーの上側と下側には、
前記圧着レバーが前記固定体の内側に挿入された状態で互いに係合されて前記圧着レバーを固定する止めホールと止め突起がそれぞれ形成されることを特徴とする、請求項１に記載の靴紐結束装置。
【請求項９】
前記センターストッパーは、
内部が第１隔壁、第２隔壁及び第３隔壁によって第１収容空間、第２収容空間、第３収容空間及び第４収容空間に区画され、前記靴紐の一筋が第２収容空間と第１収容空間を順次通過し、前記靴紐の他筋が第３収容空間と第４収容空間を順次通過することにより、前記靴紐の一筋と他筋が互いに接触しない状態で固定されることを特徴とする、請求項１に記載の靴紐結束装置。
【発明の詳細な説明】
【技術分野】
【０００１】
本発明は、靴紐結束装置に係り、より詳しくは、靴紐の結束及び結束解除の容易さ、靴紐の分離及び交替の簡便性、靴紐の引張調節の容易さによって使用便宜性が一層向上した靴紐結束装置に関する。
【背景技術】
【０００２】
一般に、運動靴、登山靴、安全靴などの大部分の靴には、靴が着用者の足から脱げないようにする靴紐が設けられる。
【０００３】
このような靴紐は両筋に作られた後、靴の足の甲部及び足首部に沿ってジグザグ状に連結された後、靴の足首部の中間で両筋の端部に結び目を形成することによって結束状態を維持することになる。
【０００４】
しかし、靴紐の両筋の端部を結束するために毎回結び目を形成しなければならないことは時間的にも非効率的で煩わしくて不便であるだけでなく、解けた場合には安全事故を引き起こす問題点があった。
【０００５】
前記のような結び目による問題点を解消するために、センターストッパー、サイドストッパー及びバックルからなった靴紐結束装置が導出された。これはセンターストッパーとサイドストッパーによって靴を履いたり脱いだりすることができる程度に靴紐の両筋を引っ張って固定した状態でバックルを用いて靴紐の両筋を結束すれば靴紐の結束用結び目なしでも靴紐を結束するものである。
【０００６】
しかし、バックルは雄バックルと雌バックルが分離可能に結合されたもので、互いに結合された状態の雄バックルと雌バックルを分離するためには、雌バックルの両側にそれぞれ露出された雄バックルの弾性係止片を同時に同等な圧力で加圧しなければならないため、バックルが靴に密着した状態ではバックルの把持が容易でなく、雄バックルの両側を同時に同一圧力で加圧することが易しくない問題点がある。
【０００７】
そして、センターストッパーは靴紐の両筋を互いに密着した状態で固定するので、靴紐の両筋をそれぞれ個別的に解いて引っ張ることが易しくないため、引っ張れた程度が互いに違う場合は同一に調節することが易しくない問題点もある。
【０００８】
また、サイドストッパーは、靴紐の両筋の端部をそれぞれ複雑な形態に連結して固定するため、洗浄などのために靴紐を分離したり取り替えたりすることが易しくない問題点もある。
【０００９】
したがって、従来の靴紐結束装置の問題点を解消するためには、前述したセンターストッパー、サイドストッパー及びバックルの構造に対する改善が至急である。
【発明の概要】
【発明が解決しようとする課題】
【００１０】
本発明は前述した問題点を解消するために発明されたもので、使用便宜性を増大させることができるように、靴紐の結束及び結束解除が容易であり、靴紐の分離及び交替が簡便であり、靴紐の引張調節が容易である構造を持つ靴紐結束装置を提供することにその目的がある。
【００１１】
本発明の目的は以上で言及した目的に制限されず、言及されなかった他の目的は下記の記載から明らかに理解可能であろう。
【課題を解決するための手段】
【００１２】
上記目的を達成するための本発明による靴紐結束装置は、靴紐の一筋と他筋を靴の足の甲部の中間で固定するセンターストッパーと、靴の一筋と他筋を靴の足首部の中間で結束するバックルとを含む靴紐結束装置であって、前記バックルは雄バックルと雌バックルとを含んでなり、前記雄バックルは、第１連結具が一端に形成された雄バックル本体、
前記雄バックル本体の他端の一側に形成され、外側面に第１案内面が形成された結合案内片及び前記雄バックル本体の他端の他側に前記結合案内片とは一定距離を置いて形成され、外部から加わる圧力によって前記結合案内片側に遊動可能になるように弾性を有し、外側面に係止突起が形成され、前記係止突起の外側面に第２案内面が形成された弾性結合片を含んでなり、前記雌バックルは、第２連結具が一端に形成された雌バックル本体、
前記雌バックル本体の他端に形成され、前記結合案内片及び前記弾性結合片が内側に挿入される収容空間が形成された収容体、及び前記収容体の一側に切欠形成されるもので、前記結合案内片及び前記弾性結合片が前記収容空間に挿入されるとき、前記弾性結合片の係止突起が露出した形態で係止される係止孔を含んでなることを特徴とする。
【００１３】
前記第１案内面は、前記弾性結合片側に傾くように形成されることを特徴とする。
【００１４】
前記第２案内面は、前記結合案内片側に傾くように形成されることを特徴とする。
【００１５】
前記結合案内片の上面と下面には、第１案内溝を挟んで一対の第１案内突起がそれぞれ形成され、前記収容体の内側の上面と下面には、前記第１案内突起と対応する一対の第２案内溝が前記第１案内溝と対応する第２案内突起を挟んでそれぞれ形成されることを特徴とする。
【００１６】
前記第１連結具は、前記雄バックル本体の一端の一側と他側にそれぞれ同一線上に形成された一対の第１連結孔を含んでなることを特徴とする。
【００１７】
前記第２連結具は、前記雌バックル本体の一端の一側と他側にそれぞれ同一線上に形成された一対の第２連結孔を含んでなることを特徴とする。
【００１８】
前記靴の足首部の両側で前記靴紐の一筋と他筋の端部を靴の足首部の両側でそれぞれ固定する一対のサイドストッパーをさらに含むことを特徴とする。
【００１９】
前記サイドストッパーは、前記靴に固定され、結合空間が形成された固定体及び前記固定体の結合空間内側に挿入されるように前記固定体の一側に回動可能に取り付けられ、前記固定体との間に通過する前記靴紐の一筋又は他筋の端部を圧着して固定する圧着レバーを含んでなることを特徴とする。
【００２０】
前記固定体の外側面には、前記靴紐の一筋又は他筋の端部が係止される係止突起が形成されることを特徴とする。
【００２１】
前記圧着レバーの内側端の上側と下側には、前記靴紐の一筋又は他筋の端部が通過するように半円形の通過孔が形成されることを特徴とする。
【００２２】
前記固定体と前記圧着レバーの上側と下側には、前記圧着レバーが前記固定体の内側に挿入された状態で互いに係合されて前記圧着レバーを固定する止めホールと止め突起がそれぞれ形成されることを特徴とする。
【００２３】
前記センターストッパーは、内部が第１隔壁、第２隔壁及び第３隔壁によって第１収容空間、第２収容空間、第３収容空間及び第４収容空間に区画され、前記靴紐の一筋が第２収容空間と第１収容空間を順次通過し、前記靴紐の他筋が第３収容空間と第４収容空間を順次通過することにより、前記靴紐の一筋と他筋が互いに接触しない状態で固定されることを特徴とする。
【発明の効果】
【００２４】
前述した構成による本発明は靴紐の結束及び結束解除が容易であり、靴紐の分離及び交替が簡便であり、靴紐の引張調節が容易である効果を期待することができる。
【図面の簡単な説明】
【００２５】
【図１】本発明の好適な実施例による靴紐結束装置の使用状態を示す例示図である。
【図２】本発明の好適な実施例による靴紐結束装置のセンターストッパーを示す断面図である。
【図３】本発明の好適な実施例による靴紐結束装置のサイドストッパーを示す斜視図である。
【図４】本発明の好適な実施例による靴紐結束装置のバックルの分離状態を示す斜視図である。
【発明を実施するための形態】
【００２６】
本発明による靴紐結束装置は靴に設けられ、靴の足収容空間が着用者の足に合うように靴の足の甲部と足首部を引っ張って締める靴紐を結び目なしに結束するものである。
【００２７】
特に、本発明による靴紐結束装置は、使用便宜性を増大させることができるように、靴紐の結束及び結束解除が容易であり、靴紐の分離及び交替が簡便であり、靴紐の引張調節が容易なことが特徴である。
【００２８】
このような特徴は、靴の足の甲部の中間で靴紐の両筋を同時に固定するセンターストッパーと、靴の足首部の両側でそれぞれ靴紐の両筋を固定する一対のサイドストッパーと、靴の足首部の中間で靴紐の両筋の端部を結束するバックルとの構造をそれぞれ改善して補うことによって達成される。
【００２９】
以下、本発明の好適な実施例を添付図面に基づいて詳細に説明すれば次の通りである。
【００３０】
本発明の好適な実施例による靴紐結束装置は、図１に示すように、センターストッパー１００、サイドストッパー２００及びバックル３００からなることができる。
【００３１】
まず、前記センターストッパー１００は、図１に示すように、靴Ｓの足の甲部の中間に位置し、靴紐Ｌの一筋と他筋を同時に固定する構成である。
【００３２】
すなわち、センターストッパー１００はバックル３００の位置を基準にしてサイドストッパー２００より低い位置である靴Ｓの足の甲部の中間に位置し、内部を貫く靴紐Ｌの一筋と他筋をそれぞれ"∩"字形に屈曲させることで、靴紐が解けないように固定するものである。
【００３３】
このために、センターストッパー１００は、図２に示すように、第１隔壁１１０、第２隔壁１２０及び第３隔壁１３０が内部に一定間隔で平行に形成されることにより、第１収容空間１４０、第２収容空間１５０、第３収容空間１６０及び第４収容空間１７０に区画されることが好ましい。
【００３４】
すなわち、靴紐Ｌの一筋は第２収容空間１５０と第１収容空間１４０を順次通過しながら第１隔壁１１０によって"∩"字形に屈曲されて固定される。そして、靴紐Ｌの他筋は第４収容空間１７０と第３収容空間１６０を順次通過しながら第３隔壁１３０によって"∩"字形に屈曲されて固定される。
【００３５】
この際、靴紐Ｌの一筋と他筋はセンターストッパー１００の内部で第２隔壁１２０によって互いに密着しなくなることにより、靴紐Ｌの一筋と他筋を個別的に解いたり引いたりすることが可能になる。
【００３６】
したがって、靴紐Ｌの一筋と他筋が引っ張れた程度が互いに違うとき、個別的に簡便に解いたり引いたりすることで同等に合わせることができる。
【００３７】
ただ、靴紐Ｌの一筋と他筋が密着することを確実に防ぐために、第１隔壁１１０、第２隔壁１２０及び第３隔壁１３０の中で中間に位置する第２隔壁１２０が第１隔壁１１０と第３隔壁１３０より相対的にもっと長く形成されることができる。
【００３８】
次に、前記サイドストッパー２００は、図１に示すように、一対からなり、靴Ｓの足首部の両側で靴紐Ｌの一筋と他筋の端部をそれぞれ固定する構成である。
【００３９】
すなわち、サイドストッパー２００はバックル３００の位置を基準にしてセンターストッパー１００より高い位置である靴Ｓの足首部の両側にそれぞれ固定設置され、靴紐Ｌの一筋と他筋の端部をそれぞれ"⊂"字形に屈曲させた状態で圧着力を加えることで、靴紐が解けないように固定するものである。
【００４０】
このために、サイドストッパー２００は、図３に示すように、固定体２１０と圧着レバー２２０からなることが好ましい。
【００４１】
前記固定体２１０は靴Ｓに固定設置され、内側に結合空間が形成されたものである。前記圧着レバー２２０は固定体２１０の結合空間の内側に挿合されるように固定体２１０の一側に回動可能に設けられたものである。
【００４２】
すなわち、固定体２１０と圧着レバー２２０の間に靴紐Ｌの一筋又は他筋の端部が"⊂"字形に貫いた状態で圧着レバー２２０と固定体２１０の結合による圧着力によって靴紐Ｌの一筋又は他筋を圧着固定するようになる。
【００４３】
この際、固定体２１０には、固定ホール２１１、支持部２１２及び係止突起２１３が設けられる。前記固定ホール２１１は固定体２１０の左側と右側に貫設され、固定体２１０を靴Ｓに固定設置するための固定手段（図示せず）が連結されるものである。
【００４４】
前記支持部２１２は固定体２１０の上側と下側にそれぞれ突設され、圧着レバー２２０の一側を回動可能に支持するとともに圧着レバー２２０が内側に挿入される結合空間を提供するものである。
【００４５】
ただ、支持部２１２の一側には、圧着レバー２２０が内側に挿入された状態で圧着レバー２２０が外側に回動しないように固定するために、圧着レバー２２０の上側と下側にそれぞれ突設された止め突起２２１と係合される止めホール２１４がそれぞれ形成されることが好ましい。
【００４６】
前記係止突起２１３は支持部２１２の間で固定体２１０の外側面に突設されるもので、靴紐Ｌの一筋又は他筋の端部が上側に挿入されてから下側に引き出されるとき、"⊂"字形に係止固定されるようにするものである。ただ、係止突起２１３は、靴紐Ｌが充分に係止固定されることができるように、靴紐Ｌの厚さと対応する高さに突設されることが好ましい。
【００４７】
前記圧着レバー２２０には止め突起２２１、圧着突起２２２及び通過孔２２３が設けられる。前記止め突起２２１は前述したように圧着レバー２２０の上側と下側にそれぞれ突設されたものである。
【００４８】
前記圧着突起２２２は圧着レバー２２０の内側面に突設されるもので、圧着レバー２２０が固定体２１０の内側に結合されるとき、靴紐Ｌの一筋又は他筋を圧着するものである。
【００４９】
前記通過孔２２３は圧着レバー２２０の内側端の上側と下側にそれぞれ半円形に形成されたもので、圧着レバー２２０が固定体２１０の内側に挿入されなかった状態で靴紐Ｌが圧着レバー２２０と固定体２１０の間で円滑に出入することができるように空間を提供するものである。
【００５０】
したがって、サイドストッパー２００は靴紐Ｌの一筋又は他筋の端部が"⊂"字形に簡単に連結固定されることによって靴紐Ｌの連結が容易になるので、靴紐Ｌを簡便に取り替えることができる。
【００５１】
一方、固定体２１０の外側面と圧着レバー２２０の外側面のそれぞれには、圧着レバー２２０が固定体２１０の内側に挿入された状態で、靴紐Ｌの一筋又は他筋の端部位置を維持するガイド溝２１５、２２４が形成されることもできる。
【００５２】
最後に、前記バックル３００は、図１に示すように、靴Ｓの足首部の中間で靴紐Ｌの一筋と他筋を互いに結束する構成である。このために、バックル３００は分離可能に互いに結合する雌バックル５００と雄バックル４００からなることが好ましい。
【００５３】
前記雄バックル４００は、図４に示すように、雄バックル本体４１０、結合案内片４３０及び弾性結合片４４０からなることができる。
【００５４】
前記雄バックル本体４１０は結合案内片４３０と弾性結合片４４０を支持するもので、その一端には靴紐Ｌを雄バックル４００に連結するための第１連結具４２０が形成されることが好ましい。この際、第１連結具４２０は雄バックル本体４１０の一端の両側にそれぞれ同一線上に形成された一対の第１連結孔４２１を含むことができる。
【００５５】
前記結合案内片４３０は雄バックル本体４１０の他端の一側に形成されるもので、雄バックル４００と雌バックル５００が結合されるとき、弾性結合片４４０と一緒に雌バックル４００の内側に挿入されながら弾性結合片４４０が雌バックル５００の内側に結合されるように案内するものである。
【００５６】
すなわち、結合案内片４３０は外側面に第１案内面４３１が形成され、前記第１案内面４３１は雄バックル本体４１０の中心に向かって内側に傾くように形成されることが好ましい。
【００５７】
前記弾性結合片４４０は雄バックル本体４１０の他端の他側に形成されるもので、雄バックル４００と雌バックル５００が結合されるとき、結合案内片４３０と一緒に雌バックル５００の内側に挿入されながら雌バックル５００に係止固定されることにより、雄バックル４００が雌バックル５００から分離されないようにするものである。
【００５８】
このような弾性結合片４４０は結合案内片４３０からは所定の間隔を置いて形成され、外部から加わる圧力によって結合案内片４３０側に遊動できるように弾性を有する形態に形成されることが好ましい。
【００５９】
一方、弾性結合片４４０の外側面には係止突起４４１が突設されることが好ましい。この際、係止突起４４１の外側面には第２案内面４４２が形成される。前記第２案内面４４２は雄バックル本体４１０の中心に向かって内側に傾くように形成されることが好ましい。
【００６０】
前記雌バックル５００は、図４に示すように、雌バックル本体５１０、収容体５３０及び係止孔５４０からなることができる。
【００６１】
前記雌バックル本体５１０は収容体５３０を支持するもので、その一端には靴紐Ｌを雌バックル５００に連結するための第２連結具５２０が形成されることが好ましい。この際、第２連結具５２０は雌バックル本体５１０の一端の両側にそれぞれ同一線上に形成された一対の第２連結孔５２１を含むことができる。
【００６２】
前記収容体５３０は雌バックル本体５１０の他端に形成されるもので、雄バックル４００との結合の際、雄バックル４００の結合案内片４３０と弾性結合片４４０を内側に収容する構成である。
【００６３】
このような収容体５３０は入口が開口した収容空間５３１が内側に形成されることが好ましい。前記収容空間５３１は結合案内片４３０と弾性結合片４４０が内側に挿入されるように結合案内片４３０と弾性結合片４４０が成す形状と対応するように形成されることができる。
【００６４】
すなわち、収容体５３０の内側に結合案内片４３０と弾性結合片４４０が挿入されるとき、第１案内面４３１と第２案内面４４２が収容体５３０の内面両側と接触する過程で弾性結合片４４０が結合案内片４３０側に遊動しながら結合案内片４３０と弾性結合片４４０が成す直径が小さくなる作用によって収容体５３０の内側に自然に挿入されるようにする。
【００６５】
前記係止孔５４０は収容体５３０の一側に切欠形成されたもので、結合案内片４３０と弾性結合片４４０が収容空間５３１に挿入された状態で係止突起４４１が係止固定されるようにすることで、雄バックル４００が雌バックル５００から分離されないようにする構成である。
【００６６】
すなわち、係止孔５４０は、収容空間５３１の内側に結合案内片４３０と弾性結合片４４０が全く挿入されて弾性結合片４４０が結合案内片４３０から一定間隔で離隔する元の位置に弾性復帰するとき、係止突起４４１が露出された形態に係止固定されるものである。
【００６７】
したがって、雄バックル４００の係止突起４４１を一定圧力以上の圧力で加圧すれば、係止突起４４１が係止孔５４０の内側に押し込まれるにつれて結合案内片４３０と弾性結合片４４０が一緒に収容体５３０から離脱することにより、雄バックル４００と雌バックル５００が分離される。
【００６８】
一方、図２に示すように、結合案内片４３０の上面と下面の両側には第１案内溝４３３を挟んで一対の第１案内突起４３２がそれぞれ形成され、収容体５３０の内側の上面及び下面の両側には一対の第２案内溝５３３が第２案内突起５３２を挟んでそれぞれ形成されることができる。
【００６９】
ただし、第１案内突起４３２は第２案内溝５３３と対応する形態に構成され、第２案内突起５３２は第１案内溝４３３と対応する形態に構成されることが好ましい。
【００７０】
前記第１案内突起４３２と第２案内突起５３２は、結合案内片４３０と弾性結合体４４０が収容体５３０の収容空間内側に挿入されるとき、第２案内溝５３３と第１案内溝４３３にそれぞれ挿入された状態で、案内によって結合案内片４３０と弾性結合体４４０が所定位置に正しく挿入されるようにするものである。
【００７１】
以上のように、本発明による靴紐結束装置は、センターストッパー、サイドストッパー及びバックルの構造を改善して補うことにより、靴紐の結束及び結束解除の容易さ、靴紐の分離及び交替の簡便性、靴紐の引張調節の容易さによって、使用便宜性を一層向上させることができる。
【００７２】
前述した実施例は例示的なものに過ぎなく、当該技術分野で通常の知識を有する者であればこれから他の多様な変形実施例が可能である。
【００７３】
したがって、本発明の真正な技術的保護範囲には下記の特許請求範囲に記載された発明の技術的思想によって前記実施例だけではなく他の多様な変形実施例が含まれなければならない。
【産業上の利用可能性】
【００７４】
本発明は靴紐結束装置に関するもので、より詳しくは靴紐の結束及び結束解除の容易さ、靴紐の分離及び交替の簡便性、靴紐の引張調節の容易さによって、使用便宜性が一層向上した靴紐結束装置の分野に利用可能である。
【図１】
0006310146.tif 000002
【図２】
0006310146.tif 000003
【図３】
0006310146.tif 000004
【図４】
0006310146.tif 000005